(57)【要約】【課題】  運搬車の搬出時、車輪部の走行状態への移行を確実に確認することができ、運搬車の搬出時の安全性を一層向上させること。【解決手段】  折り畳み可能な車輪部１，２を有した運搬車３と、車輪部１，２を折りたたんで運搬車３を収容する収容槽５と、運搬車３をその搬出時に支持する支持装置７とを備え、支持装置７が前記運搬車３の搬出方向への移動を阻止する移動阻止手段を含むことを特徴とする。また、記移動阻止手段が、前記運搬車３に設けた一係合部材１０，１１と係合して前記運搬車３の搬出方向への移動を阻止する第二係合部材１２を含むことを特徴とする。さらに、前記移動阻止手段による阻止を解除する解除手段を備えたことを特徴とする。【選択図】    図１
2004249975.tif 000002
【特許請求の範囲】
【請求項１】
折りたたみ可能な車輪部１，２を有した運搬車３と、前記車輪部１，２を折りたたんで前記運搬車３を収容する収容槽５と、前記運搬車３をその搬出時に支持する支持装置７とを備え、前記支持装置７が前記運搬車３の搬出方向への移動阻止手段を含むことを特徴とする運搬車の搬出安全システム。
【請求項２】
前記移動阻止手段が、前記運搬車３に設けた一係合部材１０，１１と係合して前記運搬車３の搬出方向への移動を阻止する第二係合部材１２を含むことを特徴とする請求項１に記載の運搬車の搬出安全システム。
【請求項３】
前記移動阻止手段による阻止を解除する解除手段を備えたことを特徴とする請求項１または請求項２に記載の運搬車の搬出安全システム。
【発明の詳細な説明】
【技術分野】
【０００１】
本発明は、折りたたみ可能な車輪部を有した運搬車の安全搬出システムに関するものである。
【背景技術】
【０００２】
医療機関において、医療器具、手術衣、患者用衣服などの被滅菌物を滅菌する場合、被滅菌物を運搬車に積載し、この運搬車ごと被滅菌物を滅菌装置の滅菌槽に収容して滅菌作業を行っている。ここで、滅菌槽は一定の高さの床を有するために、滅菌槽の床面が前記滅菌装置を設置している部屋の床面よりも高くなっている。このため、運搬車を滅菌槽から出し入れする際には段差を乗り越えなければならず、作業が困難になる。特に、医療器具の滅菌においては、多くの器具を運搬車に積載するので総重量は１５０ｋｇにものぼり、一人の医療従事者が人力で段差を超えることは困難である。そこで、滅菌装置を設置する部分の床面を掘り下げることや、段差を緩和するスロープを設けることも考えられるが、建物の床を工事しなければならず実施は困難である。
【０００３】
上述の問題を解決するための技術が実公昭５５−５４０２号公報（特許文献１）に記載されている。同公報に記載の運搬車収容装置においては、運搬車の車輪部を折りたたみ式の構造とするとともに、滅菌槽内の左右両壁に複数個の支持ローラを水平に配列し、運搬車の滅菌槽内への搬入時、運搬車を支持ローラによって支持するとともに、車輪部を折りたたんで運搬車を収容する。この支持ローラは、運搬車を車輪で走行されているときの状態とほぼ同じ高さに支持する位置に設けられており、外部から滅菌槽内に運搬車が入る際に重心移動をほとんど行うことなく楽に作業が行える。また、運搬車を滅菌槽から搬出するときは、運搬車を支持ローラで支持した状態で車輪部を折りたたんだ状態から運搬車の重量を支えて走行できる状態へ移行させる。車輪部が走行状態に完全に移行したことを確認したら、さらに運搬車を引き出して車輪を接地させる。このようにして全ての車輪を接地させたら搬出作業は完了し、運搬車は目的の場所へと運ばれる。
【０００４】
特許文献１に記載された運搬車収容装置に係わる技術は、運搬車の滅菌槽から搬出時において、車輪部が折りたたみ状態から走行状態へ確実に移行する場合には有用である。しかし、なんらかの原因で車輪部が完全に移行しない状態で車輪に重量がかかるようなこととなれば、運搬車全体が傾くことになり、安全上問題となる場合がある。
【０００５】
この問題を解決するために、出願人は、特開平２００３−２２０８号公報（特許文献２）に示すように、運搬車の搬出時、運搬車の傾きを防止する支持手段を滅菌槽外にもうける技術を提案している。
【０００６】
【特許文献１】実公昭５５−５４０２号公報
【特許文献２】特開平２００３−２２０８号公報
【発明の開示】
【発明が解決しようとする課題】
【０００７】
特許文献２に記載の技術により、運搬車の搬出時の安全性が向上するが、車輪部の走行状態への移行が行われないまま取り出された場合には、依然として安全上問題となる場合がある。
【０００８】
この発明は、特許文献２の改良発明であって、運搬車の搬出時、車輪部の走行状態への移行を確実に確認することができ、運搬車の搬出時の安全性を一層向上させることを目的
としている。
【課題を解決するための手段】
【０００９】
この発明は、前記課題を解決するためになされたもので、請求項１に記載の発明は、折りたたみ可能な車輪部を有した運搬車と、前記車輪部を折りたたんで前記運搬車を収容する収容槽と、前記運搬車をその搬出時に支持する支持装置とを備え、前記支持装置が前記運搬車の搬出方向への移動阻止手段を含むことを特徴としている。
【００１０】
請求項２に記載の発明は、請求項１において、前記移動阻止手段が、前記運搬車に設けた第一係合部材と係合して前記運搬車の搬出方向への移動を阻止する第二係合部材を含むことを特徴としている。
【００１１】
さらに、請求項３に記載の発明は、請求項１または請求項２において、前記移動阻止手段による移動阻止を解除する停止解除手段を備えたことを特徴としている。
【発明の効果】
【００１２】
この発明によれば、前記運搬車を前記開口部から搬出する際には、前記運搬車が記支持装置により支持されるが、その際に前記移動阻止手段により前記運搬車の搬出方向への移動が阻止されて前記運搬車が停止されるので、この停止状態において前記運搬車の車輪部が走行状態となっていることを確認することができる。その結果、前記運搬車を安全に取り出すことができる。
【発明を実施するための最良の形態】
【００１３】
つぎに、この発明の実施の形態について説明する。この発明の実施の形態は、車輪部を折りたたみ可能な運搬車とこの運搬車を収容する滅菌槽を有する滅菌装置とを含む運搬車の搬出安全システムシステムに適用される。そして、滅菌装置だけではなく類似の運搬車を収容槽に収容する装置，たとえば冷凍庫や貯蔵庫など積載されたものを前記運搬車ごと収容槽に収容する装置に適用可能である。
【００１４】
この実施の形態は、折りたたみ可能な車輪部を有した運搬車と、前記運搬車の搬入および搬出用の開口部を形成し、前記車輪部を折りたたんで前記運搬車を収容する収容槽を有した収容装置と、前記運搬車を搬出時に支持する支持装置とを備え、前記支持装置が前記運搬車の搬出方向への移動を阻止する移動阻止手段を含むことを特徴としている。
【００１５】
この実施の形態においては、前記運搬車の車輪部は、折りたたみ自在であって、前記収容槽に搬入するときは、前記車輪部が折りたたまれ、前記運搬車を前記収容槽から搬出するときは、前記車輪部の折りたたみが解除され、前記運搬車が走行状態に復帰する。この運搬車搬出時、前記運搬車は、前記支持装置に支持されるが、その際に前記移動阻止手段により搬出方向への移動が阻止されて、停止される。この前記支持装置の支持、停止機能により、前記車輪部の走行状態への復帰を確実に確認することができる。ここで、支持とは前記運搬車の荷重を支え、前記運搬車の操作者が手を離しても前記運搬車が傾かないことを意味する。前記移動阻止手段は、前記運搬車を一時停止させるという意味で停止手段と称することができる。
【００１６】
前記運搬車は、前記収容槽へ収容したい物品を載置して搬送する車であって、折りたたみ可能な一対の前車輪部と一対の後車輪部を有している。前記運搬車は、特許文献２に記載のものと同様の構成のものとすることができる。前記物品は、前記収容装置を滅菌装置とした場合は、被滅菌物とされる。
【００１７】
前記収容装置の収容槽は、前記運搬車をその車輪部を折りたたみ状態として搬入および
搬出可能な開口部を備えている。そして、前記開口部には密閉可能な扉を備える。この扉の開放状態において、前記運搬車の前記収容槽への搬入および前記収容装置からの搬出が可能とされる。
【００１８】
また、前記支持装置は、前記収容槽の外側であって、前記運搬車を前記開口部から搬出する際に前記運搬車の後部が前記収容槽内に位置し、前記運搬車の前部が前記収容槽外に位置する状態において、前記前部を支持可能な位置に設けられる。そして、前記支持装置は、前記運搬車を支持する機能とこの支持状態において前記運搬車の搬出方向への移動を阻止する移動阻止機能とを有する。前記前部は、前記運搬車の搬出方向の前方の部分を意味し、前記後部は、前記運搬車の搬出方向の後方の部分を意味する。前記支持装置は、前記運搬車の前部を左右の一端側を支持するように構成し、停止機能を有さず、単に支持機能のみの別の支持装置（前記特許文献２に示される第二支持ローラに相当）により前記前部の左右の他端を支持するように構成する。
【００１９】
前記支持装置は、具体的には、前記運搬車を搬出時に支持する支持手段としての支持部材と、この支持部材による支持状態において前記運搬車に設けた第一係合部材と係合して前記運搬車の搬出方向への移動を阻止して停止させる移動阻止手段としての第二係合部材とを備えたものとすることができる。ここにおいて係合は、当接と言い換えることができる。
【００２０】
さらに、前記支持装置は、好ましくは、前記の移動阻止を解除可能な解除手段を備える。この解除手段は、前記運搬車を持ち上げることなく、移動阻止状態を解除可能なものとする。より、具体的には、前記解除手段は、前記第一係合部材と第二係合部材との係合を解除する構成とする。この構成において、好ましくは、前記第二係合部材を係合位置から係合解除位置へ移動させることにより係合を解除するように構成する。
【００２１】
こうした解除手段を備えることにより、前記車輪部の走行状態復帰を確認した後、前記解除手段により移動阻止を解除して、さらに前記運搬車を前記収納槽から引き出すことができる。
【実施例１】
【００２２】
以下、この発明の具体的実施例１を図面に基づいて詳細に説明する。図１は、実施例１の一部縦断面の概略構成図であり、図２は、同実施例１の走行状態の前記運搬車の一部を側面から見た一部断面の説明図であり、図３は、前記運搬車の一部を底面から見た一部断面の説明図であり、図４は、前記車輪部を折りたたみ状態とした前記運搬車を側面から見た一部断面の説明図であり、図５は、前記車輪部を走行状態として固定した状態の前記運搬車を示す一部断面の説明図であり、図６は、同実施例１の支持装置を平面から見た説明図であり、図７は、前記支持装置を正面から見た説明図であり、図８は、前記支持装置を側面から見た説明図であり、図９は、前記運搬車の搬入時の前記支持装置を平面から見た説明図である。
【００２３】
この実施例１は、滅菌装置用の運搬車の搬出安全システムに適用されたものである。この搬出安全システムは、図１に示すように、折りたたみ自在の第一車輪部１，１および第二車輪部２，２を有する運搬車３と、この運搬車３の搬入および搬出用の開口部４を形成し、前記両車輪部１，２を折りたたんで前記運搬車３を収容する収容槽としての滅菌槽５を有した滅菌装置６と、前記滅菌槽５の外側に設けられ、前記運搬車３を搬出時に支持状態するとともにこの支持状態で前記運搬車３の搬出方向への移動を阻止して停止させる支持装置７とを主要部として備える。
【００２４】
そして、この搬出安全システムは、前記運搬車３搬出時、前記運搬車３を前記支持装置
７に支持された状態で停止させることにより、前記両車輪部１，２の走行状態への復帰を確実に確認するとともに、前記両車輪部１，２の固定を行うことができるように構成されている。また、前記支持装置７は、後で詳述するように、前記運搬車３を搬出時に支持する支持手段とこの支持手段による支持状態で前記運搬車３の搬出方向へ移動を阻止する移動阻止手段と、この移動阻止手段による移動阻止を解除する解除手段とを備えている。
【００２５】
前記支持装置７は、前記運搬車３前部の左右の一端側を支持するように設けており、移動阻止機能を有さず、後記の第二支持ローラ３４と同様の支持機能を有する第二の支持装置（図示省略）（前記特許文献２に記載の第二支持ローラに相当）により前記運搬車３前部の左右の他端を支持するように構成している。以下の説明では、前記第二の支持装置が、単に前記運搬車３を支持するだけであるので、動作の説明を省略する。
【００２６】
まず、この搬出安全システムの各主要部について説明する。図１および図２を参照して、前記運搬車３は、医療器具、手術衣、患者用衣服等を積載して運搬する台車として機能し、複数の棒状部材を組み合わせて形成したフレーム（運搬車本体）９と、移動に便利なように、前記フレーム９の底面に前記第一車輪部１，１と第二車輪部２，２を備える。
【００２７】
前記運搬車３の基本的な構成は、前記特許文献２の運搬車と同様である。異なるのは、前記運搬車３を停止させる前第一係合部材１０および後第一係合部材１２を有している点である。前記前第一係合部材１０は、前記運搬車３を前から見て前記フレーム９の底部の左側端部であって、前記第一車輪部１，１から所定間隔存した後方位置に設けられる。前記後第一係合部材１１は、前記運搬車３を前から見て前記フレーム９の底部の左側端部であって、前記第二車輪部２，２から所定間隔存した後方位置に設けられる。前記第一係合部材１０，１１は、前記支持装置７の前記移動阻止手段である第二係合部材１２と係合することにより、前記運搬車３の搬出方向への移動を阻止して、一時停止させる。この第一係合部材１０，１１は、板状部材からなり、前記フレーム９にそれぞれ取付部材１３，１３により固定されている。
【００２８】
つぎに、前記第一車輪部１，１および前記第二車輪部２，２について説明する。前記第一車輪部１，１は、前記運搬車３の搬出方向の前方側に、前記第二車輪部２，２は、搬出方向の後方側に備えられ、それぞれ一対の車輪部からなる。前記第一車輪部１，１と第二車輪部２，２とは、同じ構成であるので、前記第一車輪部１，１について説明する。
【００２９】
前記第一車輪部１，１の各車輪部１は、図２〜図５に示すように、先端に車輪１４を回転自在に取り付けた可動部１５を有している。この可動部１５は、回転，すなわち折りたたみ可能に前記フレーム９に取り付けている。具体的には、前記フレーム９の前部と後部に取り付けた基板部材１６，１６に対してそれぞれ固定部材１７を固定し、この各固定部材１７に設けた第一支持軸１８に前記可動部１５を回転可能に取り付けている。
【００３０】
そして、前記可動部１５には、係止爪部材１９を第二支持軸２０に回転自在に取り付けている。前記係止爪部材１９には第一溝部２０と第二溝部２１とを設けている。一方、前記固定部材１７には前記両溝部２０，２１に係合可能な係合ピン２３を設けている。前記第一溝部２０は、図２に示すように、第一車輪部１，１の走行状態において前記係合ピン２３と係合する。従って、この状態で前記可動部１５を第一支持軸２０に対して時計回りに回転させようとしても前記係止爪部材１９によって回転が妨げられ、折りたたみ状態へ移行することはない。また、図示しないストッパーにより前記可動部１５は図２の状態よりもさらに反時計回りに回転することはできないように構成されている。
【００３１】
前記第一車輪部１，１の各係止爪部材１９は、図３に示すように、棒状の連結部材２４により互いに連動するよう連結されている。そして、前記連結部材２４の中央部には三角
形の揺動板２５を設けており、前記揺動板２５の下部にはローラ２６を設けている。このローラ２６は、前記運搬車３の滅菌槽５への搬入時、図１に示す前記滅菌槽５の床２８に設けた衝合片２７に接触して持ち上げられる。これによって前記連結部材２４が上がり、さらに前記各係止爪部材１９が持ち上げられ、前記係合ピン２３は、前記第一溝部２１から解放される。さらに、前記運搬車３を搬入方向（図１において右方向）へ進行させると、前記可動部１５は前記滅菌槽５の床２８に当たりながら時計回りに回転し、図４に示す折りたたみ状態へ移行する。
【００３２】
また、前記可動部１５は、図示しない付勢手段により反時計方向へ付勢されている。前記運搬車３の滅菌槽５からの搬出時、前記各第一車輪部１が前記滅菌槽５から出ると、前記可動部１５は、図４の折りたたみ状態から前記付勢手段による付勢力により反時計方向に回転し、図２に示す走行状態へと移行する。このとき前記第一溝部２１が前記係合ピン２３と係合し、この係合を外さないと折りたたみ状態に移行することができないように構成している。
【００３３】
また、前記第二溝部２２は、前記係合ピン２３が係合可能に構成されている。これにより、なんらかの原因により前記各第一車輪部１が走行状態に固定できなかった場合でも前記係合ピン２３が前記第二溝部２２に係合することにより、折りたたみ状態まで移行する前にその中間的な状態でとどまる。このとき、前記運搬車３は若干傾くことになるが転倒することはない。
【００３４】
また、図５に示すように、前記固定部材１７および前記可動部１５にはそれぞれ第一穴２９、第二穴３０が形成されており、前記各車輪部１が走行状態になったときに両穴２９，３０の位置が一致するように構成している。前記運搬車３が前記支持装置７により一旦停止したときに、前記各車輪部１が走行状態に移行していることを確認するとともに、図５に示すロックピン３１を前記両穴２９，３０を貫通して取り付ける。これにより、前記可動部１５を完全に固定することができ、安全性をさらに向上することができる。
【００３５】
つぎに、前記滅菌槽５について説明する。図１を参照して、前記滅菌槽５は、被滅菌物を蒸気などにより滅菌するための槽であって、箱型に形成される。前記滅菌槽５の前記開口部４には開閉自在の扉（図示省略）を備えている。前記扉は、前記支持装置７が開閉の妨げとならないようなものとし、シャッター式のものとすることができる。また、前記滅菌槽５は、その床２８がある一定の厚さを有しているために、滅菌装置１を設置した部屋の床３２に対して滅菌槽５の床２８が高くなっている。そして、前記滅菌槽５内の左右壁面には前記運搬車２を支持するための支持手段として複数の第一支持ローラ３３，３３，…が搬出入方向に互いに間隔を存して水平に配列されている。前記各第一支持ローラ３３は前記運搬車３を搬出方向および搬入方向へ移動可能に、前記運搬車３のフレーム９の底部を支持する。
【００３６】
さらに、前記支持装置７について、図１，図６〜図８に基づき説明する。図６は、支持装置７を上方から見た説明図であり、図７は、図６のＡ方向から見た説明図、図８は、図６のＢ方向から見た説明図である。前記支持装置７は、前記滅菌槽５の外側で、前記開口部４の近くに設けられており、前記運搬車３の支持手段として前記フレーム９を支持するための第二支持ローラ３４を備えている。この第二支持ローラ３４は、架台３５に備えた第一軸３６に回転自在に取りつけられており、前記各第一支持ローラ３３と同一高さとなる様に設けている。
【００３７】
また、前記支持装置７には、前記のように、前記運搬車３に設けた第一係合部材１０，１１と当接して前記運搬車３の搬出方向への移動を阻止して停止させるための第二係合部材１２を備えている。この第二係合部材１２は、前記第一車輪部１，前記第二車輪部２が
それぞれ折りたたみ状態から走行状態へ移行した後で、かつ接地する前にそれぞれ前記第一係合部材１０，１１と係合することにより、前記運搬車３がそれ以上引き出す，すなわち図１の左方向へ進めなくなって一旦停止するように機能する。
【００３８】
前記第二係合部材１２は、図６に示すようにその前記滅菌槽５側の第一端面３７を前記第一係合部材１０，１１の側面と係合しやすいように垂直な面とし、前記端面３７の反対側の第二端面３８を前記両停止部材１１，１２と係合しない形状としている。前記第一係合部材１０，１１と係合しない形状として、この実施例では図６および図７に示すように上部にテーパー部３９を設けている。しかしながら、前記第二端面３８の上部の角に丸みをつけたりスキーの先端を下向きにしたような形状にすることができる。
【００３９】
つぎに、前記支持装置７の前記解除手段の構成を説明する。前記第二係合部材１２は、前記架台３５に設けた第二軸４０を中心に回転自在に支持されたアーム４１の先端付近に取り付けている。そして、前記第二係合部材１２は、前記第一係合部材１０，１１と係合する位置と、前記第一係合部材１０，１１と係合しない位置とに、前記第二係合部材の移動手段としての足踏み式のレバー４２により切り替えることができるように構成されている。このレバー４２は丸棒を折り曲げることにより形成されている。そして、前記アーム４１の前記第二係合部材１２よりも先端側に前記レバー４２が設けられており、このレバー４２を押し下げることのより前記第二係合部材１２を前記第一係合部材１０，１１と係合しない高さに下げることができるように構成されている。
【００４０】
そして、前記第二係合部材１２は、図１に示すように、常時は前記第一係合部材１０，１１と係合する高さとなるように構成されている。すなわち、前記アーム４１がバネ体よりなる第一付勢手段４３により付勢され、高さ調整部材４４と接触し停止する。この停止状態において、前記第二係合部材１２は、常時は前記第一係合部材１１．１２と係合可能な位置（高さ）に保持されることになる。
【００４１】
さらに、この構成について、図８に基づいて詳細に説明する。前記第一付勢手段４３は、前記アーム４１の前記レバー４２と反対側に設けた第一係止部材４５を部屋の床３２の方向へ引っ張るように構成されており、前記架台３５の中央付近に設けた第二係止部材４６と前記アーム４１に設けた前記第一係止部材４５とに係止している。これにより、この第一付勢手段４３は、前記第二軸４０を中心として前記アーム４１を時計回りに付勢される。そして、前記高さ調整部材４４により前記アーム４１は所定の高さに規制される。
【００４２】
このような機能の前記解除手段を備えることにより、前記第二係合部材１２が前記第一係合部材１０，１１と係合して前記運搬車３が一旦停止した状態で、作業者は前記各第一車輪部１が間違いなく走行状態になっていることを確認する。この確認の後、前記レバー４２を踏み、前記第二係合部材１２を前記第一係合部材１０，１１と係合しない高さに切り替え、前記各第一車輪部１を接地させて前記運搬車３をさらに左へ移動させることができることができる。
【００４３】
つぎに、この実施例においては、前記運搬車３が前記第二係合部材１２と係合して一旦停止する際に、前記運搬車３を反動によりある程度前記滅菌槽５側へ戻す構成を備えている。この構成について説明する。図６および図７に示すように、前記第二係合部材１２は、第一支持金具４７と第二支持金具４８と第三軸４９とによって水平面内で前記第三軸４９を中心に一定の角度の範囲で回転可能となるように、前記アーム４１に取り付けられている。そして、前記第二係合部材１２は、図８に示すように、前記アーム４１の長方形の切欠き穴５０を貫通した状態で、図６において反時計回りに、すなわち前記第二係合部材１２の先端部５１が前記第二軸４０側に向かう方向に、第二付勢手段５２によって付勢されている。
【００４４】
前記第二付勢手段５２は、一端が前記第二係合部材１２に設けた第三係止部材５４に係止され、他端が前記第二軸４０の固定用のナット５５に設けられた第四係止部材５６に係止されている。これにより、前記第二係合部材１２は、前記切欠き穴５０内で反時計方向へ付勢される。すなわち、この第二付勢手段５２により前記第二係合部材１２は、前記切欠き穴５０内で回転可能な範囲、すなわち図６に示す実線矢印の距離（いわゆるストローク）だけ前記先端部５１が移動可能となるように構成されている。
【００４５】
こうした構成により、前記第二係合部材１２は、図１で示す位置で前記運搬車３の左方向（搬出方向）への進行を止めた後に、前記運搬車３を前記第二付勢手段５２のバネ力によりはねかえして右方向（搬入方向）へある程度戻す。この戻し動作とともに、前記第二係合部材１２も前記第二付勢手段５２によって前記第一係合部材１０，１１に接した状態を保ちながら追随して回動する。前記運搬車３が戻し（はねかえり）による右方向への移動を終えて完全に停止したときにも、前記第二係合部材１２は、前記第一係合部材１０，１１と接触し続け、前記運搬車３の停止状態を維持するように構成されている。
【００４６】
ここで、この実施例の作用を説明する。前記運搬車３の搬出について説明する。前記滅菌槽５の扉を開き、収容された前記運搬車３を前記開口部４から手前（図１で左方向）に引き出す。前記各第一車輪部１が前記衝合部材２７と当接して、前記のように折りたたみ状態から走行状態へ移行する。そして、図８に示す前記第一係合部材１０と前記第二係合部材１２とが当接していない状態から、さらに前記運搬車３を左方向へ移動させると、まず前記第一係合部材１０が前記第二係合部材１２と当接して、図１に示すように前記運搬車３は、搬出方向への移動が阻止されて一旦停止する。この状態では、前記各第一車輪部１は、すでに前記滅菌槽５の外に出ており、折りたたんだ状態から走行状態へ移行しているが、まだ部屋の床面３２には接していない。また、前記運搬車３の後半分が前記滅菌槽５の中に残っていて、前記フレーム９の後側部分は前記各第一支持ローラ３３によって保持されているとともに、前記第二車輪部２，２は折りたたまれた状態になっている。
【００４７】
この前記運搬車３の一時停止状態において、作業者は、前記第一車輪部１，１が図２に示す走行状態となっていることを確認したうえで、前記ロックピン３１による固定する作業を行う。これにより、前記第一車輪部１，１の走行状態へ移行を確実なものとすることができる。
【００４８】
この走行状態への移行の確認後、作業者は、前記レバー４２を部屋の床面３２の方へ押し下げる。これにより、前記第二係合部材１２は、下がって前記第一係合部材１０の下に滑り込み、前記第一係合部材１０と係合しない高さに移動する。これによって前記支持装置７による停止が解除され、前記運搬車３はさらに左方向へ進行できるようになる。
【００４９】
この移動阻止の解除動作において、一度前記レバー４２を押し下げれば前記第二係合部材１２は、前記第二付勢手段５２によって付勢されて前記第一係合部材１０の下面に沿いながら下がって前記第一係合部材１０の下に滑り込む。したがって、前記レバー４２を踏み続ける必要はなく、作業員は前記レバー４２から足を放して前記運搬車３を左に移動させる作業を行うことができる。
【００５０】
そして、図１に示す状態からさらに左方向に前記運搬車３を移動させると、前記第二車輪部２，２が走行状態になるとともに、前記第一係合部材１１が前記第二係合部材１２にぶつかる。ここでも前述した前記第一係合部材１０と前記第二係合部材１２による一時停止動作，前記レバー４２による停止解除の動作および作業者による前記運搬車の移動動作と同じ動作が繰り返される。こうして、前記運搬車３は完全に前記滅菌槽５から取り出される。
【００５１】
つぎに、前記運搬車３を前記滅菌槽５へ収容するときには、前記第一係合部材１０，１１は、前記第二端面３８側より前記第二係合部材１２に当たる。この第二端面３８には前記テーパー部３９が設けられているので、前記第一係合部材１０，１１は、係合することなくテーパー面に沿って前記第二係合部材１２の上に乗り上げる。すなわち、前記第二係合部材１２は、前記第一付勢手段４３により付勢されてはいるが、押し下げることができるので、図９に示すように前記第一係合部材１０，１１に押されてこれらの第一係合部材１０，１１の下へ入り込む。このようにして前記第一係合部材１０，１１は、前記第二係合部材１２の上を通過する。従って、前記運搬車３を前記滅菌槽５へ搬入するとき、前記支持装置７は前記運搬車３の進行を妨げず、作業者は前記バー４２を踏まなくてもそのまま前記運搬車３を通過させることができる。
【実施例２】
【００５２】
この発明は、前記実施例に限定されるものではなく、図１０に示す実施例２を含む。この実施例は、前記第二係合部材１２を前記アーム４１に固定した固定第二係合部材５７として、前記第二付勢手段５２を省略したものである。この実施例２においては、前記運搬車３を搬出する際に、前記レバー４２を押し下げた状態を維持しながら前記固定第二係合部材５７を前記両停止部材１１，１２の下側に移動させることが必要となるが、前記固定第二係合部材５７により前記運搬車３を一度確認停止が行えるので安全性を向上することができる点では、前記実施例１と同様である。この実施例２によれば、前記第二付勢手段５２を省略することにより、構成を簡素にすることができるという利点がある。
【図面の簡単な説明】
【００５３】
【図１】この発明の実施例１の一部縦断面の概略構成図である。
【図２】同実施例１の走行状態の前記運搬車の一部を側面から見た一部断面の説明図である。
【図３】前記運搬車の一部を底面から見た一部断面の説明図である。
【図４】前記車輪部を折りたたみ状態とした前記運搬車を側面から見た一部断面の説明図である。
【図５】前記車輪部を固定した状態の前記運搬車を示す一部断面の断面図である。
【図６】同実施例１の支持装置を平面から見た説明図である。
【図７】前記支持装置を正面から見た説明図である。
【図８】前記支持装置を側面から見た説明図である。
【図９】前記運搬車の搬入時の前記支持装置を平面から見た説明図である。
【図１０】この発明の実施例２の支持装置を平面から見た説明図である。
【符号の説明】
【００５４】
１  第一車輪部
２  第二車輪部
３  運搬車
４  開口部
５  滅菌槽（収容槽）
６  滅菌装置（収容装置）
７  支持装置
１０  第一係合部材
１１  第一係合部材
１２  第二係合部材（移動阻止手段）
【図１】
2004249975.tif 000003
【図２】
2004249975.tif 000004
【図３】
2004249975.tif 000005
【図４】
2004249975.tif 000006
【図５】
2004249975.tif 000007
【図６】
2004249975.tif 000008
【図７】
2004249975.tif 000009
【図８】
2004249975.tif 000010
【図９】
2004249975.tif 000011
【図１０】
2004249975.tif 000012